(57)【要約】  本発明は、単一周波数層での移動端末のためのセル再選択方法に関する。この方法においては、周波数層（１）におけるマルチキャストブロードキャスト・マルチメディアサービス（ＭＢＭＳ）セッションの終了を検出し、先行して使用された周波数（２）に関して記憶されている情報の使用可能性を検査する。この情報が使用可能である場合には、記憶されている情報の妥当性を検査する。この情報が使用可能でない場合もしくは妥当でない場合には、移動端末がＳＩＢ１１／１２リストから周波数を選択し、その周波数での適切なセルの選択を試みる。この選択が成功しない場合には、端末が移動すべきセルはどのセルであるかを検出するために、初期セル選択プロシージャを実行する。
2008530877.tif 000002
【特許請求の範囲】
【請求項１】
単一周波数層での移動端末のためのセル再選択方法において、
周波数層におけるマルチキャストブロードキャスト・マルチメディアサービス（ＭＢＭＳ）セッションの終了を検出し、先行して使用された周波数に関して記憶されている情報の使用可能性を検査し、前記情報が使用可能である場合には記憶されている情報の妥当性を検査し、前記情報が使用可能でない場合もしくは妥当でない場合には、移動端末が移動すべきセルはどのセルであるかを検出するために移動端末が初期セル選択プロシージャを実行することを特徴とする、単一周波数層での移動端末のためのセル再選択方法。
【請求項２】
初期セル選択プロシージャは３ＧＰＰ  ＴＳ  ２５．３０４に従う、請求項１記載の方法。
【発明の詳細な説明】
【技術分野】
【０００１】
本発明は殊にＵＴＲＡＮ（ユニバーサル・モバイル・テレコミュニケーション・システム陸上無線アクセスネットワーク；Universal Mobile Telecommunications System Terrestrial Radio Access Network）のような第２世代および第３世代の移動電話システムのための通信システムにおける移動端末の分散方法に関する。
【０００２】
無線アクセスネットワーク（ＲＡＮ）において標準化されているＭＢＭＳのようなブロードキャストサービスは移動通信ネットワークにとってますます重要になっている。ＭＢＭＳの研究により、ＭＢＭＳはシナリオに依存してＮｏｄｅＢの使用可能な電力の３０％〜４０％を要求できることが分かった。このことはオペレータの大部分はＭＢＭＳを１つの広帯域符号分割多重アクセス（ＷＣＤＭＡ）キャリアにおいてのみ提供できることを意味している。単一キャリアへの制限は移動度の目的に関して、またセルの端部における利得の結合に関して有用でもある。ネットワークにおけるトラフィックが増すにつれ、オペレータはそれらの周波数を１つ以上使用しなければならない可能性がある。殊に、トラフィックが集中しているようなホットスポットエリアをカバーするために第２のキャリアがマイクロおよびピコＮｏｄｅＢに対して要求される。
【０００３】
したがって、ＭＢＭＳに関する周波数層収束（ＦＬＣ；frequency layer convergence）が適用され、ＭＢＭＳ通知が最終サービス提供層（final service providing layer）を表す全ての周波数において全てのセルに送信される。全ての端末（ＵＥ）はＭＢＭＳによる通知されたサービスの受信に関心を示し、次いでこの層を再選択する。この層は所定のオフセット値を適用することにより提供される。ＭＢＭＳデータが送信されている層と、ＵＥがＭＢＭＳサービスを受信しようとする場合にＵＥが有利な周波数に移動することを保証するためにＵＥセル再選択パラメータに適用されるオフセットとをＵＥに指示することによって、ＭＢＭＳ動作を（マルチ周波数ＵＴＲＡＮネットワークにおける）単一周波数層で実施することができる。
【０００４】
しかしながら単一層に達して、ＭＢＭＳサービスを相応に受信すると、ＭＢＭＳサービスの終了はオフセットがもはや適用されず、またＵＥが通常動作に戻ることを意味する。しかしながらＵＥはＭＢＭＳ周波数において新たなマクロセルにとどまり続ける傾向がある。何故ならば、ＵＴＲＡＮにおける既存のセル再選択プロシージャは、セル間の境界にいるＵＥが再選択を継続することを回避するために、それがＵＥにとって最善のセルまたは周波数でなくても、そのＵＥは現行のセル内または既存の周波数にとどまることを選択するように定義されている。このようにサービスの終了時に特定のセル内にＵＥが集中することは望ましいものではない。何故ならば不所望な周波数でのセル間のＵＥのあらゆる付加的な移動によりアップリンクのシグナリングが生じることになり、このようなシグナリングはＵＥがより適切な周波数にある場合よりも多くの干渉を引き起こす。この干渉の増加によりシステムが不安定になり、セル半径が縮小される。この問題を解決するために、ＭＢＭＳセッションの終了時にセル内のＵＥを異なる周波数およびセルにランダムに分散させることが提案されている。しかしながら、これによりセルが所望のセルに移動するような通常のセル再選択規則に従う再選択が続いて行われ、ＵＥがセルフォワードアクセスチャネル（Ｃｅｌｌ＿ＦＡＣＨ）またはセルページングチャネル（Ｃｅｌｌ＿ＰＣＨ）状態では、再選択の数が増すことによりアップリンクのシグナリングも増加する。
【０００５】
サービスの終了はＵＥがＭＣＣＨを読み取ることにより、またセッション停止情報を受信することにより検出される。択一的にＵＥは、ＭＣＣＨを読み取り、ＭＴＣＨにおいて先行して受信したセッションがＭＣＣＨにおける情報においてもはや表されていないこと、つまりそのセッションがＭＴＣＨにおいてもはや送信されていないことを検出する。
【０００６】
サービスが終了するとオフセットはもはや適用されず、また（現行の解釈と規格での）ＵＥは通常動作に戻るが依然として新たなセルにとどまる。ＵＴＲＡＮにおける既存のセル再選択プロシージャはセル間の境界においてＵＥが再選択を継続することを回避するために、それがＵＥにとって最善のセルでなくても現行のセルにとどまることを選択するよう定義されている。したがって現行のプロシージャはＭＢＭＳセッションの終了後のＵＥの分散には最適なものではない。
【０００７】
本発明によれば、単一周波数層での移動端末のためのセル再選択方法において、周波数層におけるマルチキャストブロードキャスト・マルチメディアサービス（ＭＢＭＳ）セッションの終了を検出し、先行して使用された周波数に関して記憶されている情報の使用可能性を検査し、使用可能である場合には記憶されている情報の妥当性を検査し、使用可能でない場合もしくは妥当でない場合には、移動端末が移動すべきセルはどのセルであるかを検出するために移動端末が初期セル選択プロシージャ（initial cell selection procedures）を実行する。
【０００８】
本発明によれば、ＭＢＭＳ伝送の終了時に単一周波数層のマクロセル内にＵＥがとどまる問題を以下のようにして解決する。すなわち、ＵＥが先行して使用された周波数に移動できるか否かを最初に検査し、その周波数がもはや使用可能でない場合には各ＵＥがネットワークに登録されていないＵＥと同様に処理され、ＵＥが既にどこにいるかを考慮することなく、既存のパラメータを無視し、単純にＵＥに関して最善のセルを探す。
【０００９】
次に、本発明による単一周波数層での移動端末のためのセル再選択方法を付属の図面を参照しながら説明する。図面において：
図１は本発明による方法が実施されるシステムのブロック図を示し、
図２は本発明の方法に含まれるステップのフローチャートを示す。
【００１０】
本発明の方法を使用することができる典型的なシステムが図１に示されている。複数のＵＥ（ＵＥ１，ＵＥ２，ＵＥ３）が基地局（ＢＳ）からＭＢＭＳを第１の周波数ｆ１で受信する。ＭＢＭＳセッションが終了すると基地局ＢＳはＵＥに周波数ｆ１の終了を明示するためにＭＢＭＳ分散インジケータをセットする。これはその周波数を別のＭＢＭＳセッションのために解放するためであるか、その周波数が目下のところ各ＵＥにとって最適でないためである。
【００１１】
図２は本方法をより詳細に示し、規格に要求される複数のステップを含んでいる。ＵＥがステップ１においてＭＢＭＳ分散インジケータを受信すると、先ずステップ２においてＵＥは先行して使用された周波数に関して記憶されている周波数情報が存在するか否かを検査する。メモリが空である場合（矢印３）、ステップ１１において周波数がＳＩＢ１１／１２リストにあるか否かが検査され、リストになければステップ１２においてそのリストから周波数が選択される。ステップ１３においては適切なセルがその選択された周波数で選択され、このステップが成功すると（矢印１４）、ＵＥはステップ１５においてそのセルに移動する。記憶されている周波数がＳＩＢ１１／１２リストにある場合には、記憶されている周波数における適切なセルがステップ１６において選択され、このステップが成功すると（矢印１７）、ＵＥはそのセル１８に移動する。このステップが成功しなければ（矢印１９）、ＳＩＢ１１／１２リストにある周波数が選択される。
【００１２】
最初に、メモリがステップ２において記憶されている周波数情報に関して検査されたときに、メモリが空であることが確認されると（矢印４）、ステップ５において周波数がＳＩＢ１１／１２リストから選択され、ステップ６において適切なセルが選択される。セルの選択が成功すると（矢印７）ＵＥはそのセルに移動するが、セルの選択が失敗すると適切なセルは初期セル選択プロシージャ８を介して選択され、それに基づきＵＥはステップ１０においてそのセルに移動する。
【００１３】
ＵＥは３ＧＰＰ  ＴＳ２５．３０４における初期セル選択に関して記載されているような、既存の記憶されているパラメータまたはＵＥ内のコンテクストを一切考慮することなくセル選択を実行する。どのＲＦチャネルがＵＴＲＡキャリアであるかという先行知識は必要とされない。ＵＥは選択された公衆陸上移動網（ＰＬＭＮ）の適切なセルを発見するために、そのＵＥのケイパビリティに応じてＵＴＲＡ帯域における全てのＲＦチャネルをスキャンする。各キャリアにおいてＵＥは最も強いセルのみを検索し、そのようなセルが発見されると、そのセルが選択される。このプロシージャは目下ネットワーク内に登録されていないＵＥに対してのみ使用されるにもかかわらず、ＵＥが接続されており、且つＭＢＭＳセッションの受信が終了した直後のケースにこのプロシージャを適用することにより、従来の解決手段の欠点を伴うことなく、その目下のロケーションに関して最善のセルおよび周波数についてのＵＥを効率的に分散させることができる。
【図面の簡単な説明】
【００１４】
【図１】本発明による方法が実施されるシステムのブロック図。
【図２】本発明の方法に含まれるステップのフローチャート。
【図１】
2008530877.tif 000003
【図２】
2008530877.tif 000004
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
単一周波数層での移動端末のためのセル再選択方法において、
前記周波数層におけるマルチキャストブロードキャスト・マルチメディアサービス（ＭＢＭＳ）セッションの終了を検出し、先行して使用された周波数に関して記憶されている情報の使用可能性を検査し、使用可能である場合には記憶されている情報の妥当性を検査し、使用可能である場合の妥当性を検査するステップは記憶されている情報がリストにおける周波数に関するかを検査し、使用可能でない場合には周波数をリストから選択し、周波数が妥当でない場合またはセル選択が失敗した場合には、移動端末が移動すべきセルはどのセルであるかを検出するために移動端末が初期セル選択プロシージャを実行することを特徴とする、単一周波数層での移動端末のためのセル再選択方法。
【請求項２】
初期セル選択プロシージャは３ＧＰＰ  ＴＳ  ２５．３０４に従う、請求項１記載の方法。
【請求項３】
リストはシステム情報ブロック１１／１２リストである、請求項１または２記載の方法。
【手続補正２】
【補正対象書類名】明細書
【補正対象項目名】０００６
【補正方法】変更
【補正の内容】
【０００６】
サービスが終了するとオフセットはもはや適用されず、また（現行の解釈と規格での）ＵＥは通常動作に戻るが依然として新たなセルにとどまる。ＵＴＲＡＮにおける既存のセル再選択プロシージャはセル間の境界においてＵＥが再選択を継続することを回避するために、それがＵＥにとって最善のセルでなくても現行のセルにとどまることを選択するよう定義されている。したがって現行のプロシージャはＭＢＭＳセッションの終了後のＵＥの分散には最適なものではない。
"Frequency dispersion after MBMS reception" NTT DoCoMo R2-041616 3GPP TSG-RAN WG2 meeting #43 16-20.08.2004 Prague, Czech Republic, ppl-2には、ＭＢＭＳサービスの受信が終了した後に周波数層にとどまるＵＥに起因するトラフィックの輻輳を低減するための複数のオプションが記載されている。これらのオプションはそのＵＥの先行の層を再選択すること、層をランダムに再選択すること、ＵＴＲＡＮによってセットされたパーセンテージ割り当てに関連して層を再選択することである。
【手続補正３】
【補正対象書類名】明細書
【補正対象項目名】０００７
【補正方法】変更
【補正の内容】
【０００７】
本発明によれば、単一周波数層での移動端末のためのセル再選択方法において、その周波数層におけるマルチキャストブロードキャスト・マルチメディアサービス（ＭＢＭＳ）セッションの終了を検出し、先行して使用された周波数に関して記憶されている情報の使用可能性を検査し、使用可能である場合には記憶されている情報の妥当性を検査し、使用可能である場合には妥当性を検査するステップは記憶されている情報がリストにおける周波数に関するかを検査し、使用可能でない場合には周波数をリストから選択し、周波数が妥当でない場合またはセル選択が失敗した場合には、移動端末が移動すべきセルはどのセルであるかを検出するために移動端末が初期セル選択プロシージャ（initial cell selection procedures）を実行する。
【手続補正書】
【提出日】平成19年9月3日(2007.9.3)
【手続補正１】
【補正対象書類名】特許請求の範囲
【補正対象項目名】請求項１
【補正方法】変更
【補正の内容】
【請求項１】
単一周波数層での移動端末のためのセル再選択方法において、
前記周波数層におけるマルチキャストブロードキャスト・マルチメディアサービス（ＭＢＭＳ）セッションの終了を検出し、先行して使用された周波数に関して記憶されている情報の使用可能性を検査し、使用可能である場合には記憶されている情報の妥当性を検査し、妥当性を検査するステップは記憶されている情報がリストにおける周波数に関するかを検査し、使用可能でない場合または妥当でないことが検出された場合には周波数をリストから選択し、適切なセルを前記周波数において選択し、セル選択が失敗した場合には、移動端末が移動すべきセルはどのセルであるかを検出するために移動端末が初期セル選択プロシージャを実行することを特徴とする、単一周波数層での移動端末のためのセル再選択方法。
【国際調査報告】
2008530877.tif 000005
2008530877.tif 000006
2008530877.tif 000007
2008530877.tif 000008